(57)【要約】【課題】特に大型で重量の大きなフラットディスプレイでも、その高さや角度を確実かつ円滑に、しかも迅速に調節でき、またフラットディスプレイを壁から離さなくても、その側端部が壁に接触する恐れがないフラットディスプレイ用スタンド装置を提供する。【解決手段】フラットディスプレイを内筒を介して搭載支持し、その高さや左右の向きを任意に調節する調節装置を備えたスタンドであって；該調節装置が、昇降用電動モータと、該昇降用電動モータの回転を減速する遊星減速機構と、該遊星減速機構からの減速回転により上記内筒を昇降移動させる伝動手段から構成される昇降調節手段と、首振用電動モータと、該首振用電動モータの回転を減速する遊星減速機構と、該遊星減速機構からの減速回転により上記フラットディスプレイを左右に首振り回動させる伝動手段から構成される首振り調節手段と、から構成される。【選択図】        図６
2007010979.tif 000002
【特許請求の範囲】
【請求項１】
フラットディスプレイを内筒を介して搭載支持し、その高さや左右の向きを任意に調節する調節装置を備えたスタンドであって；該調節装置が、昇降用電動モータと、該昇降用電動モータの回転を減速する遊星減速機構と、該遊星減速機構からの減速回転により上記内筒を昇降移動させる伝動手段から構成される昇降調節手段と、首振用電動モータと、該首振用電動モータの回転を減速する遊星減速機構と、該遊星減速機構からの減速回転により上記フラットディスプレイを左右に首振り回動させる伝動手段から構成される首振り調節手段と、から構成されることを特徴とするフラットディスプレイ用スタンド装置。
【請求項２】
上記昇降用電動モータおよび首振用電動モータがステップモータであることを特徴とする請求項１に記載のフラットディスプレイ用スタンド装置。
【請求項３】
上記昇降用電動モータおよび首振用電動モータがリモートコントロールにより操作されることを特徴とする請求項１または２に記載のフラットディスプレイ用スタンド装置。
【発明の詳細な説明】
【技術分野】
【０００１】
本発明は、液晶ディスプレイやプラズマディスプレイなどのフラットディスプレイを上下移動あるいは左右首振り自在に調節することのできる調節装置を備えたフラットディスプレイ用スタンド装置に関するものである。
【背景技術】
【０００２】
従来のフラットディスプレイ用スタンド装置としては、液晶テレビを上端に支持する長尺状のスタンド部材を伸縮させて高さを調節する高さ調節機構と、該スタンド部材の長さ方向軸のまわりに回転させて液晶テレビの左右角度を調節する角度調節機構を備え、リモートコントロールによって上記機構を高さ調節電気モータや角度調節電気モータにより駆動するように構成したものがある。（例えば、特許文献１参照）
【０００３】
しかしながら、上記従来のフラットディスプレイ用スタンド装置では、調節駆動機構が単純で、その結果、特に最近の普及が著しい大型で重量（例えば２５Ｋｇ）の大きなフラットディスプレイを昇降あるいは首振りさせて、その高さや角度を確実かつ円滑に、しかも迅速に調節することは事実上困難であるという問題点があった。
【特許文献１】特開２００５−９４４３８号公報
【発明の開示】
【発明が解決しようとする課題】
【０００４】
本発明が解決しようとする課題は、特に大型で重量の大きなフラットディスプレイの高さや角度を確実かつ円滑に、しかも迅速に調節できことができるフラットディスプレイ用スタンド装置を提供することにある。
【課題を解決するための手段】
【０００５】
本発明のフラットディスプレイ用スタンド装置は、フラットディスプレイを内筒を介して搭載支持し、その高さや左右の向きを任意に調節する調節装置を備えたスタンドであって；該調節装置が、昇降用電動モータと、該昇降用電動モータの回転を減速する遊星減速機構と、該遊星減速機構からの減速回転により上記内筒を昇降移動させる伝動手段から構成される昇降調節手段と、首振用電動モータと、該首振用電動モータの回転を減速する遊星減速機構と、該遊星減速機構からの減速回転により上記フラットディスプレイを左右に首振り回動させる伝動手段から構成される首振り調節手段と、から構成されることを特徴とする。また、上記昇降用電動モータおよび首振用電動モータがステップモータであることを特徴とする。さらに、上記昇降用電動モータおよび首振用電動モータがリモートコントロールにより操作されることを特徴とする。
【発明の効果】
【０００６】
本発明のフラットディスプレイ用スタンドは、特に大型で重量の大きなフラットディスプレイでも、その高さや角度を確実かつ円滑に、しかも迅速に調節できるという利点がある。
また、フラットディスプレイを首振り操作しても、その回動中心が壁から離れる方向に移動するため、フラットディスプレイを壁から離さなくても、その側端部が壁に接触する恐れがない。
【発明を実施するための最良の形態】
【０００７】
図１は本発明装置の一実施例を示す外観図、図２はその正面図、図３はその側面図であって、１は液晶ディスプレイやプラズマディスプレイなどのフラットディスプレイ、２は上記フラットディスプレイ１を搭載支持して、その高さや左右の向きを任意に調節する調節装置、３は該調節装置２を介して上記フラットディスプレイ１を安定して設置するスタンドベースである。該スタンドベース３は必ずしもプレート状のものでなくてもよく、例えば、ボックス状あるいは上記調節装置２の側部から適当な支持手段を張り出した転倒防止手段であってもよい。
【０００８】
図４は上記調節装置２の内部構造を説明する部分断面図、図５はその拡大斜視図、図６は拡大断面図である。特に図６において、４は外筒、５は内筒、６は可動ナット、７は送りネジ、８は保持部材、９は継ぎ手、１０は遊星減速機構、１１、１２は伝動歯車、１３は昇降用電動モータ、１４は首振用電動モータ、１５、１６は伝動歯車、１７は偏心軸、１８は遊星歯車、１９は内歯歯車、２０、２１はリング部材、２２は転動部材である。
【０００９】
上記内筒５は、上記フラットディスプレイ１を搭載支持し、上記外筒４内を上下方向に移動および左右方向に回転出来るように納められている。上記内筒５の底部には、可動ナット６が取り付け固定されていて、送りネジ７が螺合しており、送りネジ７を回転させることにより上下し、上記内筒５を昇降させるようになっている。上記送りネジ７の上端部は、保持部材８により保持されている。
【００１０】
上記送りネジ７の上端部は、継ぎ手９を介して遊星減速機構１０の出力側に連結されている。該遊星減速機構１０は、図７に示すように、主として入力側の偏心軸１０ａと、該偏心軸１０ａにより内歯歯車１０ｃ内を転動して反対方向に大きく減速回転する遊星歯車１０ｂから構成され、この遊星歯車１０ｂの減速回転が、上記送りネジ７に伝達されるようになっている。上記遊星減速機構１０の偏心軸１０ａは、伝動歯車１２、１１を介してステップモータ等の昇降用電動モータ１３により回転駆動される。
【００１１】
一方、ステップモータ等の首振用電動モータ１４の回転は、伝動歯車１５、１６を介して偏心軸１７を駆動する。該偏心軸１７には遊星歯車１８が回転自在に取り付けられ、内歯歯車１９内を転動して反対方向に大きく減速回転するようになっている。
【００１２】
図９および図１０から明らかなように、上記遊星歯車１８の上側面には、ピン１８ａ、１８ｂが植設されていて、それぞれリング部材２０、２１が回転自在に取り付けられている。図１１に示すように、リング部材２０は回動部材２２に嵌合して、これを回動駆動する。また、リング部材２１は、回動部材２２に形成された長穴２２ａに沿って移動可能となっている。上記回動部材２２には上記フラットディスプレイ１が取り付けられていて、例えば左右に１０度ずつ回動させるようになっている。
【００１３】
本実施例の装置は、以上のように構成されているので、上記昇降用電動モータ１３の回転駆動力と、上記遊星減速機構１０の大幅な減速機構により送りネジ７を回転させて、これと噛み合った可動ナット６を介して内筒５を上下に動かし、上記フラットディスプレイ１を安定かつ確実に昇降移動させる。
【００１４】
また、上記首振用電動モータ１４の回転駆動力と、上記偏心軸１７、遊星歯車１８、内歯歯車１９、リング部材２０、２１、回動部材２２などからなる減速機構により、上記フラットディスプレイ１５が左右にわずか回動して、安定かつ確実に左右に首振り回動させる。
【００１５】
上記回動部材２２は、上記遊星歯車１８、内歯歯車１９、リング部材２０、２１などにより、回動する際に、図１２（Ａ）に示すように、その中心が壁Ｗから離れるように移動し、その結果、フラットディスプレイ１は側端部Ｘの位置がほとんど移動しない状態で首振りする。従って、フラットディスプレイ１と壁との隙間が小さくても、フラットディスプレイ１が壁Ｗに接触する恐れがなく、首振りさせることができる。
一方、図１２（Ｂ）に示すように、従来のフラットディスプレイはその回動中心が移動しないので、側端部Ｙが壁Ｗに接触する恐れがあり、壁ＷからフラットディスプレイＤをかなり離しておく必要がある。
【００１６】
以上のように、上記調節装置２は、昇降用電動モータ１３と、該昇降用電動モータ１３の回転を減速する遊星減速機構１０と、該遊星減速機構１０からの減速回転により上記内筒５を昇降移動させる伝動手段から構成される昇降調節手段と、首振用電動モータ１４と、該首振用電動モータ１４の回転を減速する遊星減速機構と、該遊星減速機構からの減速回転により上記内筒を左右に首振り回動させる伝動手段から構成される首振り調節手段と、から構成される。
上記昇降調節手段の伝動手段は、送りネジ７と可動ナット６から構成される。
また、上記首振り調節手段の遊星減速機構としては、偏心軸１７と、遊星歯車１８、内歯歯車１９から構成される。
さらに、上記首振り調節手段の伝動手段としては、上記遊星歯車１８のピン１８ａ，１８ｂと、リング部材２０、２１と、回動部材２２と、長穴２２ａから構成される。
なお、上記フラットディスプレイ１の昇降および左右首振りは、リモートコントロールにより操作するのが好ましい。
【図面の簡単な説明】
【００１７】
【図１】本発明装置の一実施例を示す外観図である。
【図２】図１の正面図である。
【図３】図１の側面図である。
【図４】図１の調節装置の内部構造を示す部分断面図である。
【図５】調節装置の内部構造を示す拡大断面斜視図である。
【図６】調節装置の内部構造を示す拡大断面図である。
【図７】図６のイ−イ断面図である。
【図８】調節装置の要部斜視図である。
【図９】調節装置の別の要部斜視図である。
【図１０】図６のロ−ロ断面図である。
【図１１】図６のハ−ハ断面図である。
【図１２】本発明装置によるフラットディスプレイの首振り状態の説明図（Ａ）、従来の装置によるフラットディスプレイの首振り状態の説明図（Ｂ）である。
【符号の説明】
【００１８】
１    フラットディスプレイ
２    調節装置
３    スタンドベース
４    外筒
５    内筒
６    可動ナット
７    送りネジ
８    保持部材
９    継ぎ手
１０    遊星減速機構
１０ａ  偏心軸
１０ｂ  遊星歯車
１０ｃ  内歯歯車
１１、１２  伝動歯車
１３  昇降用電動モータ
１４  首振用電動モータ
１５、１６  伝動歯車
１７  偏心軸
１８  遊星歯車
１８ａ、１８ｂ  ピン
１９  内歯歯車
２０、２１  リング部材
２２  回動部材
２２ａ  長穴
Ｄ    フラットディスプレイ
Ｒ    回動装置
Ｘ、Ｙ  側端部
Ｗ    壁
【図１】
2007010979.tif 000003
【図２】
2007010979.tif 000004
【図３】
2007010979.tif 000005
【図４】
2007010979.tif 000006
【図５】
2007010979.tif 000007
【図６】
2007010979.tif 000008
【図７】
2007010979.tif 000009
【図８】
2007010979.tif 000010
【図９】
2007010979.tif 000011
【図１０】
2007010979.tif 000012
【図１１】
2007010979.tif 000013
【図１２】
2007010979.tif 000014